(57)【特許請求の範囲】
【請求項１】
背部と、着席時の横臥姿勢から非着席時の起立姿勢へと跳ね上げ可能な座部とを備える座跳ね上げ式椅子において、
前記背部と前記座部との相互間の下方に、前方側が下がった傾斜面を持つ部材を備え、
前記部材の前記傾斜面及び前記部材の前端と、前記座部との間には、隙間が設けられていることを特徴とする座跳ね上げ式椅子。
【請求項２】
請求項１記載の座跳ね上げ式椅子において、
前記背部は、左右一対の脚部によって支持され、
前記傾斜面を持つ部材は、左右の脚部間に設けられることを特徴とする座跳ね上げ式椅子。
【請求項３】
請求項２記載の座跳ね上げ式椅子において、
前記傾斜面を持つ部材は、板状部材であり、
当該座跳ね上げ式椅子が設置される床面と、前記傾斜面の下面との間に空間が形成されることを特徴とする座跳ね上げ式椅子。
【請求項４】
請求項３記載の座跳ね上げ式椅子において、
前記傾斜面を持つ部材は、後端が前記背部の背面に沿って上方へと延びて該背面の少なくとも一部を覆うカバー部を形成することを特徴とする座跳ね上げ式椅子。
【請求項５】
請求項４記載の座跳ね上げ式椅子において、
前記傾斜面を持つ部材は、前記座部の下方にある傾斜面と、前記背部の背面にあるカバー部とが連続して形成されると共に、該傾斜面と該カバー部との連結部位に湾曲面が設けられることを特徴とする座跳ね上げ式椅子。
【発明の詳細な説明】
【技術分野】
【０００１】
本発明は、使用者が着席する際の横臥姿勢から非着席時の起立姿勢へと跳ね上げ可能な座部を備える座跳ね上げ式椅子に関する。
【背景技術】
【０００２】
例えば、劇場や映画館、スタジアム等では、前後左右方向に多数の椅子が配列されることから、移動スペース等を確保するために、座部を使用者が着席する際の横臥姿勢から非着席時の起立姿勢へと跳ね上げ可能に構成した座跳ね上げ式椅子が広く採用されている。この座跳ね上げ式椅子を用いることにより、前後列の椅子間のスペースを十分に確保することができるようになる。
【０００３】
通常、この種の座跳ね上げ式椅子では、座部の可動性を確保するために、座部と背部とが別体に構成されると共に、その相互間に隙間を生じている。この隙間は、特に座部が跳ね上げられた起立姿勢時に一層拡大され、使用者がパンフレットや携帯電話等の持ち物を座面上に置いた場合には、前記隙間から落下して座部の下方に隠れ、着席者が気付かずに忘れてしまう可能性がある。
【０００４】
そこで、特許文献１には、座部と背部との間の隙間からの荷物の落下を防止するため、この隙間の奥部に座部と背部との間で延在する袋状の荷物落下防止部材を設け、この荷物落下防止部材によって落下物を保持する構成が開示されている。
【先行技術文献】
【特許文献】
【０００５】
【特許文献１】特開平１１−２２５８４４号公報
【発明の概要】
【発明が解決しようとする課題】
【０００６】
上記特許文献１の構成の場合、荷物落下防止部材によって座部と背部との間から荷物が床面上に落下することを防止できるものの、保持された荷物は外部から視認し難く、特に座部が跳ね上がった状態では該座部によって保持された荷物が隠れてしまい、着席者は荷物が荷物落下防止部材によって保持されたことに気付かない可能性があり、忘れ物等の原因となり得る。
【０００７】
本発明は、上記従来技術の課題を考慮してなされたものであり、座部と背部との相互間から荷物等が落下した場合であっても、落下物を使用者に認識させることができる座跳ね上げ式椅子を提供することを目的とする。
【課題を解決するための手段】
【０００８】
本発明に係る座跳ね上げ式椅子は、背部と、着席時の横臥姿勢から非着席時の起立姿勢へと跳ね上げ可能な座部とを備える座跳ね上げ式椅子において、前記背部と前記座部との相互間の下方に、前方側が下がった傾斜面を持つ部材を備え、前記部材の前記傾斜面及び前記部材の前端と、前記座部との間には、隙間が設けられていることを特徴とする。
【０００９】
このような構成によれば、例えば、着席者が立ち上がる際等、横臥姿勢にある座部の座面上に携帯電話やパンフレット等の荷物を置いた後、座部が跳ね上がって起立姿勢になった場合であっても、背部と座部の相互間を通して座面上から座部の下方へと落下した荷物は、傾斜面上を滑って前方にはき出されて着席者の足元付近に戻ってくるか、又は傾斜面に当接して座面上に留まることになる。これにより、落下した荷物が、座部の下方に隠れてしまうことが防止されるため、使用者は当該荷物を容易に認識することができる。さらに、落下して傾斜面を滑った荷物は座部の下方でなく、使用者の足元付近にはき出されるため、当該荷物を拾うことも容易である。
【００１０】
前記背部は、左右一対の脚部によって支持され、前記傾斜面を持つ部材は、左右の脚部間に設けられると、背部と座部との相互間の下方位置に傾斜面を持つ部材を容易に設置することができる。
【００１１】
前記傾斜面を持つ部材は、板状部材であり、当該座跳ね上げ式椅子が設置される床面と、前記傾斜面の下面との間に空間が形成されると、例えば、前席と後席の足元を適切に仕切ることができ、後席の着席者は足先を前席の下方である前記空間まで安心して伸ばすことができ、着座が楽になる。また、この空間には、鞄等の荷物等を置くこともできる。
【００１２】
前記傾斜面を持つ部材は、後端が前記背部の背面に沿って上方へと延びて該背面の少なくとも一部を覆うカバー部を形成することにより、後席の着席者の足先（靴）の汚れや飲食物の汚れが前席の背面の張り地に付着することを防止でき、清掃が容易になる。
【００１３】
前記傾斜面を持つ部材は、前記座部の下方にある傾斜面と、前記背部の背面にあるカバー部とが連続して形成されると共に、該傾斜面と該カバー部との連結部位に湾曲面が設けられると、背部と座部の相互間を通して座面上から座部の下方へと落下した荷物の引っ掛かりを防止して、傾斜面から円滑に吐き出させることができる。
【発明の効果】
【００１４】
本発明によれば、座跳ね上げ式椅子において、背部と座部との相互間の下方に前方側が下がった傾斜面を持つ部材を備えたことにより、例えば、着席者が立ち上がる際等、横臥姿勢にある座部の座面上に携帯電話やパンフレット等の荷物を置いた後、座部が跳ね上がって起立姿勢になった場合であっても、背部と座部の相互間を通して座面上から座部の下方へと落下した荷物は、傾斜面上を滑って前方にはき出されて着席者の足元付近に戻ってくるか、又は傾斜面に当接して座面上に留まることになる。これにより、落下した荷物が、座部の下方に隠れてしまうことが防止されるため、使用者は当該荷物を容易に認識することができる。
【図面の簡単な説明】
【００１５】
【図１】図１は、本発明の一実施形態に係る座跳ね上げ式椅子の斜視図である。
【図２】図２は、図１に示す座跳ね上げ式椅子の側面図である。
【図３】図３は、座部が起立姿勢にある状態での座跳ね上げ式椅子の構成図であり、図３（Ａ）は、座跳ね上げ式椅子の一部省略正面図であり、図３（Ｂ）は、座跳ね上げ式椅子の一部省略背面図である。
【図４】図４は、座部の跳ね上げ角度を変更した状態での側面図であり、図４（Ａ）は、冊子が滑り部材に当接して座面上に留まっている状態を示し、図４（Ｂ）は、紙が滑り部材の傾斜面を落下している状態を示す。
【図５】図５は、座部の跳ね上げ角度と滑り部材の傾斜面の角度とを変更した状態での側面図である。
【図６】図６は、変形例に係る座跳ね上げ式椅子の側面図である。
【発明を実施するための形態】
【００１６】
以下、本発明に係る座跳ね上げ式椅子について好適な実施の形態を挙げ、添付の図面を参照しながら詳細に説明する。
【００１７】
図１は、本発明の一実施形態に係る座跳ね上げ式椅子１０（以下、単に「椅子１０」ともいう）の斜視図であり、劇場や映画館、スタジアム等において椅子１０を左右方向に複数配列した状態を示している。図２は、図１に示す椅子１０の側面図であり、前後列に設置された所定の前席１０Ｆ及び後席１０Ｒを図示すると共に、前席１０Ｆについては側面断面図で示している。
【００１８】
図１及び図２に示すように、椅子１０（前席１０Ｆ及び後席１０Ｒ）は、使用者が座るための座部１４と、座部１４への着席者が背中で寄り掛かる部分である背部（背凭れ部）１６と、着席者が肘を掛けるための左右一対の肘掛部２０、２０とを備え、左右方向に配列された複数の椅子１０が左右一対の脚部２２、２２によって床面上に一体的に固定される。座部１４の下方には、左右の脚部２２間にわたって設けられ、前方側が下がった傾斜面２４ａを持つ滑り部材（滑り台、傾斜部材、受け部材）２４が配設されている。
【００１９】
座部１４は、その基端側の側部（側面）から左右方向に延びて脚部２２（肘掛部２０）に支持される回動軸２５によって回動する可動式であり、背部１６と別体に構成される。座部１４は、使用者が着席する際の使用位置である横臥姿勢（図２中の前席１０Ｆに２点鎖線で示す座部１４参照）から、非着席時の不使用位置である起立姿勢（図２中の前席１０Ｆに実線で示す座部１４参照）へと跳ね上げ可能（回動可能）に構成されている。座部１４は、例えば、図示しない付勢手段（弾性部材）により、回動方向で起立姿勢側に弾性的に付勢される。
【００２０】
このように、座部１４が跳ね上げ式（回動式）のため、座部１４の背面と背部１６の前面との相互間には、座部１４が横臥姿勢及び起立姿勢及び横臥姿勢と起立姿勢の中間姿勢（回動途中の姿勢）のうち、いずれか１以上の姿勢にある状態で、座部１４の下方へと連なる隙間Ｇを生じることになる。
【００２１】
肘掛部２０は、椅子１０の外側部に設置されるが、隣接する椅子１０同士の間ではその中間部に両席共用となる１個が設置される。略同様に、脚部２２は、椅子１０の外側部に設置されるが、隣接する椅子１０同士の間ではその中間部に両席共用となる１本が設置される。
【００２２】
背部１６は、合板やパイプ、木枠等で形成される図示しないフレームや背板の周囲に図示しないクッション材等を設け、これを張り地２６で覆った構成である。本実施形態の場合、張り地２６は、背部１６の背面１６ａの下半部を除いた略全面に張られている。また、着席者の背中が当たる背部１６の前面は、幅方向で中央が窪んだ湾曲面形状を有している。この背部１６前面の湾曲面形状により、特に、座部１４を起立姿勢にした場合に、両者の相互間の隙間Ｇが一層拡大することになる。
【００２３】
張り地２６が設けられた背部１６の上面（上端）には、該上面を覆う張り地２６の上に、その略全面を覆う天板（笠木）２８が取り付けられている。天板２８は、例えば、背部１６の上面が手摺りや取っ手として利用される場合に、人手が接触する面となって張り地２６の汚れを防止し、清掃を容易なものとするものである。さらに、天板２８により、柔軟な張り地２６によって覆われた背部１６上面に適度な剛性が付与されるため、手摺りや取っ手としての安定性が向上する。
【００２４】
図３は、座部１４が起立姿勢にある状態での椅子１０の構成図であり、図３（Ａ）は、椅子１０の一部省略正面図であり、図３（Ｂ）は、椅子１０の一部省略背面図である。
【００２５】
図１〜図３に示すように、滑り部材２４は、座部１４及び背部１６の下方に配置される傾斜面（傾斜面部）２４ａと、傾斜面２４ａの後方に連続形成されて背部１６の背面１６ａに沿って上方へと延び、該背面１６ａの少なくとも一部（下半部）を覆うカバー部２４ｂとから構成され、例えば、金属製材料や樹脂製材料からなる板状部材である。なお、滑り部材２４の少なくとも傾斜面２４ａには、キャンバス地等の布地を張設しておくとよい。そうすると、後述する落下物（荷物３４）が当該滑り部材２４に当たった際の衝撃音を抑制することができる。
【００２６】
滑り部材２４は、傾斜面２４ａとカバー部２４ｂとが、その中間の湾曲面２４ｃを介して側面視略くの字状（ブーメラン状）に形成された屈曲形状を有する。湾曲面２４ｃは、傾斜面２４ａとカバー部２４ｂとの間の連結部位であり、少なくとも座部１４側となる内面（前面又は上面）が円弧形状（湾曲形状）の曲面となっている（図２参照）。
【００２７】
傾斜面２４ａは、その前端（下端）３０が床面に略接触して設置された状態で後方に向けて上方へと傾斜しながら湾曲面２４ｃまで延在しており、座部１４の後面と背部１６の前面との間の相互間に形成される隙間Ｇの下方に位置し、この隙間Ｇに対向している。換言すれば、傾斜面２４ａは、当該椅子１０の平面視において、座部１４が横臥姿勢及び起立姿勢及び中間姿勢にある状態で、座部１４と背部１６との相互間の隙間Ｇを塞ぐ位置にあり、横臥姿勢にある状態での座部１４の基端側（回動軸２５側）から先端側への方向に向かって前下がりに傾斜した面である。傾斜面２４ａの傾斜角は特に限定されないが、例えば床面に対して３０°〜８０°程度となる角度範囲に設定するとよい。また、前端３０が床面に略接触しているとは、例えば、床面に対して数ｍｍ〜２０ｍｍ以内で近接する状態や、完全に接触した状態も含む概念である。
【００２８】
上記のように滑り部材２４は板状部材によって構成されているため、傾斜面２４ａの下面と床面との間には、後方に向かって次第に大きくなる側面視三角形状の空間Ｓ１が形成される（図２参照）。肘掛部２０や脚部２２の形状にもよるが、空間Ｓ１は、その下方が床面によって閉じられ、その前方が傾斜面２４ａ（滑り部材２４）によって閉じられ、その左右側方が肘掛部２０又は脚部２２によって閉じられるため、実質的に後方のみが開口したポケット状の凹状空間となっている。
【００２９】
カバー部２４ｂは、傾斜面２４ａから湾曲面２４ｃを介して上方に起立している。カバー部２４ｂは、その後端（上端）３２が背部１６の背面１６ａの一部（下部又は下半部）を覆う高さ位置に設定された状態で、後端３２が背面１６ａに固定され、左右側部が左右の脚部２２（又は肘掛部２０の背面）にそれぞれ固定され、これにより当該椅子１０の背面側の下半部を覆っている（図２及び図３（Ｂ）参照）。換言すれば、滑り部材２４は、傾斜面２４ａや湾曲面２４ｃの側部が脚部２２や肘掛部２０の内面に固定され、カバー部２４ｂが背部１６と脚部２２又は肘掛部２０に固定され、これにより、椅子１０に対して十分な強度で取り付けられると共にその背面側の下半部をカバーする。
【００３０】
以上のように、本実施形態に係る椅子１０では、背部１６と座部１４との相互間の下方、つまり両者の相互間に形成される隙間Ｇの下方に、前方側が下がった傾斜面２４ａを持つ滑り部材２４を設けている。従って、例えば、着席者が立ち上がる際等、横臥姿勢にある座部１６の座面上に荷物３４（例えば、携帯電話や図示しないパンフレット等）を置いた後、座部１４が跳ね上がって起立姿勢になった場合であっても、背部１６と座部１４の相互間（隙間Ｇ）を通して座面上から下方へと落下した荷物３４は、傾斜面２４ａ上を滑って前方にはき出され、着席者の足元付近に戻ってくる（図１及び図２中の矢印参照）。これにより、落下物である荷物３４が、座部１４の下方に隠れてしまうことや後席１０Ｒ側に飛び出すことが防止されるため、使用者は当該荷物３４を容易に認識することができ、忘れ物となることを阻止できる。さらに、落下した荷物３４は座部１４の下方でなく、使用者の足元付近にはき出されるため、当該荷物３４を拾うことも容易である。
【００３１】
また、滑り部材２４が左右の脚部２０間に設けられることにより、滑り部材２４を背部１６と座部１４との相互間の下方であって隙間Ｇを確実に塞ぐことができる位置に、当該滑り部材２４を容易に設置することができる。
【００３２】
滑り部材２４は板状部材であり、当該椅子１０が設置される床面と傾斜面２４ａの下面との間に空間Ｓ１が形成されることにより、前席１０Ｆと後席１０Ｒの足元を適切に仕切ることができ、後席１０Ｒの着席者は足先を前席１０Ｆの下方（空間Ｓ１）まで安心して伸ばすことができ、着座が楽になる。また、この空間Ｓ１には、鞄等の荷物３６（図２中に２点鎖線で示す）等を置くこともできる。
【００３３】
滑り部材２４は、後端３２が背部１６の背面１６ａに沿って上方へと延びて該背面１６ａの少なくとも一部（例えば、下半部）を覆う（閉塞する）カバー部２４ｃを形成している。これにより、後席１０Ｒの着席者の足先（靴）の汚れや飲食物の汚れが前席１０Ｆの背面１６ａの張り地（背張り材）２６に付着することを防止でき、清掃が容易になる。しかも、図２及び図３（Ｂ）に示すように、背面１６ａの下半部がカバー部２４ｂによって覆われるため、当該背面１６ａに張られた張り地２６の端部をカバー部２４ｂの内側に隠すことができ、その組み付け時の仕上げ処理が簡便となり、椅子１０の生産効率が向上する。
【００３４】
滑り部材２４は、座部１４の下方にある傾斜面２４ａと、背部１６の背面１６ａにあるカバー部２４ｂとが連続して形成されると共に、傾斜面２４ａとカバー部２４ｂとの連結部位に湾曲面２４ｃが設けられる。仮に、傾斜面２４ａとカバー部２４ｂとの連結部位が所定の角度を持って鋭く屈曲している場合には、この屈曲部に隙間Ｇからの落下物である荷物３４が引っ掛かり、傾斜面２４ａから円滑にはき出されない可能性がある。そこで、この連結部位に湾曲面２４ｃを設けることにより、荷物３４（パンフレットの角等）の引っ掛かりを防止し、一層円滑な排出性を確保している。
【００３５】
ところで、このような滑り部材２４は、座部１６の座面上から隙間Ｇを介して落下する荷物３４を単に前方へとはき出させる以外の用途に用いることもできる。
【００３６】
例えば、図４に示すように、座部１６の跳ね上げ角度を適宜調整し、座部１６の座面と滑り部材２４の傾斜面２４ａとが直角（又は略直角）となるように構成する。そうすると、図４（Ａ）に示すように、荷物３４として比較的硬い冊子（パンフレット）Ｐ１を座面上に置いた場合には、該冊子Ｐ１は、その先端が滑り部材２４に引っ掛かって止まるため、例えば離席時に冊子Ｐ１を仮置きすることができる。一方、図４（Ｂ）に示すように、荷物３４として薄くペラペラな紙Ｐ２を座面上に置いた場合には、該紙Ｐ２は、滑り部材２４に引っ掛かることなく滑り落ち、椅子１０の前方へとはき出されることになる。つまり、座部１６の跳ね上げ角度を調整することにより、滑り部材２４を荷物３４の受け部材（停止部材）としても機能させることができる。
【００３７】
また、例えば、図５に示すように、座部１６の跳ね上げ角度を適宜調整すると共に、滑り部材２４に代えて穏やかな傾斜面４９ａを有した滑り部材４９を用い、座部１６の座面が略鉛直となるように設定し、滑り部材４９の傾斜面４９ａを水平に近づくように傾斜させる。そうすると、座部１６の後面（図５の跳ね上げ状態では下面）と滑り部材４９の傾斜面４９ａとが水平に近くなり且つ両者の間の隙間が広がるため、図５に示すように、比較的硬い冊子Ｐ１等であっても容易に滑り落ち、前方へとはき出すことができる。
【００３８】
このように、滑り部材２４（４９）の形状や設置角度と、跳ね上がった状態での座部１６の座面の角度とを適宜調整、つまり、起立姿勢での座部１６の座面の延長線と傾斜面２４ａ（４９ａ）との交差角を調整可能とすることにより、荷物３４の種類や形状等に応じて、滑り落とすか或いは滑り落とさず座面上に留めておくかをコントロールすることができる。従って、例えば、当該椅子１０の納品先のユーザの要望に応じて、座部１６が跳ね上がった際の角度と滑り部材２４の角度とを適宜設定することにより、荷物３４の落下のコントロールを当該椅子１０が設置される劇場等の使用形態等に最適化させることができる。
【００３９】
図６は、図１に示す座跳ね上げ式椅子１０の変形例に係る座跳ね上げ式椅子５０（以下、単に「椅子５０」ともいう）の側面図であり、図２と略同様に前席５０Ｆ及び後席５０Ｒを図示している。
【００４０】
この変形例に係る椅子５０は、図１〜図５に示す椅子１０に設けられる滑り部材２４（４９）に代えて、多少構成の異なった滑り部材５２を備える以外は椅子１０と略同様な構成である。このため、以下の説明では、図１〜図５に示す椅子１０と同一又は同様な機能及び効果を奏する要素には同一の参照符号を付して詳細な説明を省略する。
【００４１】
図６に示すように、椅子５０の滑り部材５２は、その前端（下端）５４が床面上から所定距離上方に設置されており、これにより、左右の脚部２０間であって傾斜面２４ｃの下方に、前席５０Ｆ側と後席５０Ｒ側の足元空間を連通する空間Ｓ２が形成されている。
【００４２】
このように、椅子５０では、滑り部材５２の前端５４を床面から十分な高さ位置（例えば、１００ｍｍ〜２００ｍｍ程度）に設置してその下方に形成空間Ｓ２を形成している。空間Ｓ２によって前席５０Ｆ側と後席５０Ｒ側の足元空間が連通されていることから、図示しない掃除機やモップを座部１４の下方に容易に差し込むことができ、床面の清掃を容易に行うことできるという利点がある。
【００４３】
なお、本発明は、上記した実施形態に限定されるものではなく、本発明の主旨を逸脱しない範囲で自由に変更できることは勿論である。
【００４４】
例えば、上記実施形態に係る椅子１０、５０の滑り部材２４、４９、５２は、傾斜面２４ａの後方に湾曲面２４ｃを介してカバー部２４ｂを設けた構成を例示したが、これら湾曲面２４ｃ及びカバー部２４ｂは省略してもよい。また、滑り部材２４、４９、５２の取付構造も適宜変更可能であることは言うまでもない。
【符号の説明】
【００４５】
１０、５０  座跳ね上げ式椅子
１４  座部
１６  背部
１６ａ  背面
２２  脚部
２４、４９、５２  滑り部材
２４ａ、４９ａ  傾斜面
２４ｂ  カバー部
２４ｃ  湾曲面
２５  回動軸
【図１】
0005959845.tif 000002
【図２】
0005959845.tif 000003
【図３】
0005959845.tif 000004
【図４】
0005959845.tif 000005
【図５】
0005959845.tif 000006
【図６】
0005959845.tif 000007